(57)【要約】【課題】大きな設置面積等を必要とせず、安定に装置を保持した状態で容易に座標の入力を行う。【解決手段】画面を表示する表示手段の画面と垂直なＺ軸方向の変位を検出するＺ軸変位検出手段と、Ｚ軸変位検出手段からの検出信号を受け取り、表示手段に表示される画像を変更する計算手段とを備え、計算手段は、Ｚ軸変位検出手段からの検出信号に応じて、表示手段に表示される画像としてのマルチウィンドウの前後の表示位置を入れ替える。【選択図】図１
2010015603.tif 000002
【特許請求の範囲】
【請求項１】
画面を表示する表示手段の画面と垂直なＺ軸方向の変位を検出するＺ軸変位検出手段と、
前記Ｚ軸変位検出手段からの検出信号を受け取り、前記表示手段に表示される画像を変更する計算手段とを備え、
前記計算手段は、前記Ｚ軸変位検出手段からの検出信号に応じて、前記表示手段に表示される画像としてのマルチウィンドウの前後の表示位置を入れ替えることを特徴とする
表示装置。
【請求項２】
前記計算手段は、前記Ｚ軸変位検出手段からの検出信号に応じて、前記表示手段に表示される画像の拡大または縮小を行うことを特徴とする
請求項１記載の表示装置。
【請求項３】
さらに、
画面を表示する表示手段の画面と平行な平面上でのＸ軸方向及びＹ軸方向の変位を検出するＸ軸変位検出手段及びＹ軸変位検出手段を備え、
前記計算手段は、前記Ｘ軸変位検出手段及びＹ軸変位検出手段からの検出信号を受け取り、前記表示手段に表示される画像を変更することを特徴とする
請求項１記載の表示装置。
【発明の詳細な説明】
【技術分野】
【０００１】
本発明は、例えばハンドヘルド型のパーソナルコンピュータ等に使用して好適な表示装置に関するものである。
【背景技術】
【０００２】
例えばハンドヘルド型のパーソナルコンピュータは、計算手段と、その計算結果の画像等を表示する液晶ディスプレイ等の表示手段とが一体に形成されているものである。そしてこのような装置において、使用者が入力を行う場合には、従来から、いわゆるキーボード装置や、表示手段の表面に感圧もしくは感静電デバイス等を設けたいわゆるペン入力装置等が用いられている。
【０００３】
しかしながら例えばキーボード装置を設けるためには、そのための装置の表面積または容積が必要であり、特に小型化を目的とした装置には適用が困難なものである。またペン入力装置においても、常にペンを用いることの煩わしさや、付属の特殊なペンを紛失するなどの恐れがあり、また例えば片手で装置を保持してペンを用いて入力することは、操作性の上からも問題が生じるものである。
【０００４】
これに対して、いわゆるトラックボールや十字キー等を用いて表示面上のカーソルを移動させて入力を行う手段も実施されている。しかしながらこのようなトラックボールや十字キー等は、比較的大きな設置面積を必要とするものであり、また例えば片手で装置を保持してトラックボールや十字キー等を操作する操作性や安全性にも問題が生じるものである。
【発明の概要】
【発明が解決しようとする課題】
【０００５】
この出願はこのような点に鑑みて成されたものであって、解決しようとする問題点は、従来の装置では、例えばハンドヘルド型のパーソナルコンピュータで座標の入力を行う場合に、大きな設置面積等が必要であったり、特に片手で装置を保持して入力する場合の操作性や安全性にも問題が生じるなど、適当な手段が提案されていなかったというものである。
【課題を解決するための手段】
【０００６】
このため本発明においては、画面を表示する表示手段の画面と垂直なＺ軸方向の変位を検出するＺ軸変位検出手段と、Ｚ軸変位検出手段からの検出信号を受け取り、表示手段に表示される画像を変更する計算手段とを備え、計算手段は、Ｚ軸変位検出手段からの検出信号に応じて、表示手段に表示される画像としてのマルチウィンドウの前後の表示位置を入れ替える。
【発明の効果】
【０００７】
本発明によれば、大きな設置面積等を必要とせず、安定に装置を保持した状態で容易に座標の入力を行うことができるものである。
【０００８】
これによって、従来の装置では、例えばハンドヘルド型のパーソナルコンピュータで座標の入力を行う場合に、大きな設置面積等が必要であったり、特に片手で装置を保持して入力する場合の操作性や安全性にも問題があったものを、本発明によればこれらの問題点を容易に解消することができるものである。
【図面の簡単な説明】
【０００９】
【図１】本発明の適用される座標入力装置の一例の構成図である。
【図２】その外観の一例の構成図である。
【図３】その説明のための図である。
【図４】その説明のための図である。
【図５】その説明のための図である。
【発明を実施するための形態】
【００１０】
すなわち本発明においては、計算手段と、計算手段の計算結果の画像を表示する表示手段とが一体に形成され、一体に形成された装置と共に表示手段の画面と平行な平面上でのＸ軸方向及びＹ軸方向の変位を検出するＸ軸変位検出手段及びＹ軸変位検出手段が設けられてなり、Ｘ軸変位検出手段及びＹ軸変位検出手段からの検出信号を計算手段に供給し、表示手段に表示される計算結果の画像及び／またはカーソルの表示位置を変更して画面上の任意の座標を指示してなるものである。
【００１１】
以下、図面を参照して本発明を説明するに、図１は本発明による座標入力装置を適用したハンドヘルド型のパーソナルコンピュータの一例の構成を示すブロック図である。
【００１２】
この図１において、計算手段１と、この計算手段１の計算結果の画像を表示する表示手段２が設けられる。さらに変位検出手段３が設けられ、この変位検出手段３には、例えばＸ軸変位の検出手段３ｘ、Ｙ軸変位の検出手段３ｙ、Ｚ軸変位の検出手段３ｚが設けられる。そしてこれらの検出手段３ｘ〜３ｚからの信号が計算手段１に供給される。また、任意の操作釦４、５、６・・・が設けられ、これらの操作釦４、５、６・・・からの信号が計算手段１に供給される。
【００１３】
さらに図２は、本発明を適用したハンドヘルド型のパーソナルコンピュータの一例の外観を示す線図である。この図２において、正面には例えば液晶ディスプレイ等の表示手段２が設けられ、この表示手段２の裏面側に計算手段１と変位検出手段３が設けられている。また、この表示手段２の例えば左側縁部に例えば上述の操作釦４が設けられ、表示手段２の右側縁部には例えば上述の操作釦５、６が設けられる。
【００１４】
そしてこの装置を使用する場合には、例えば図３または図４に示すように、使用者は両手で表示手段２が上向きになるように装置を保持する。このとき表示手段２には、例えば計算手段１（図示せず）の計算結果の画像とカーソルが表示されている。そこでこの装置の全体を例えば表示手段２の画面と平行に、Ｘ軸方向及びＹ軸方向に変位させると、この変位が例えばＸ軸変位の検出手段３ｘ及びＹ軸変位の検出手段３ｙで検出されて、上述の計算手段１に供給される。
【００１５】
さらにこの計算手段１では、上述の供給されたＸ軸及びＹ軸方向の変位の検出信号に従って、表示手段２に表示される計算結果の画像及び／またはカーソルの表示位置を変更する処理が行われる。そしてこの場合に、計算手段１で行われる計算結果の画像及び／またはカーソルの表示位置を変更する処理においては、例えば以下に述べるような２通りの処理を行うことができる。
【００１６】
すなわち第１の処理においては、例えば図３に示すように、カーソルの表示位置を画面上で固定すると共に、計算結果の画像の表示位置を上述の検出されたＸ軸及びＹ軸方向の変位分、逆方向に移動するように表示を行う。これによって計算結果の画像は、装置の全体が変位されたのにも係わらず、使用者には空間的に同じ位置に表示されているように知覚され、その画像の中を画面上に固定されたカーソルが移動されるように知覚される。
【００１７】
従ってこの場合には、空間的に固定された計算結果の画像の中で、装置の全体を変位させることによって、例えば画面の中央に表示されているカーソルを画像内の任意の位置に移動させることができる。そしてこのカーソルで所望の画像の位置を指示することによって、画面上の任意の座標を入力することができるものである。
【００１８】
また第２の処理においては、例えば図４に示すように、計算結果の画像の表示位置を画面上で固定すると共に、カーソルの表示位置を上述の検出されたＸ軸及びＹ軸方向の変位分、逆方向に移動するように表示を行う。これによってカーソルは、装置の全体が変位されたのにも係わらず、使用者には空間的に同じ位置に表示されているように知覚され、そのカーソルに対して画面上に固定された計算結果の画像が移動されるように知覚される。
【００１９】
従ってこの場合には、空間的に固定されたカーソルに対して、装置の全体を変位させることによって計算結果の画像を移動させ、画像内の任意の位置をカーソルに合わせることができる。そしてこの空間的に固定されたカーソルで所望の画像の位置を指示することによって、画面上の任意の座標を入力することができるものである。
【００２０】
このようにしてカーソルで所望の画像の位置を指示することによって、画面上の任意の座標を入力することができる。そしてこの場合に、変位検出手段３は装置の表面には設けられないので大きな設置面積等を必要とせず、また使用時には上述のようの装置全体を両手で保持するので、操作性や安全性も向上させることができるものである。
【００２１】
従ってこの装置において、変位検出手段を設け、その検出信号を用いて表示手段に表示される計算結果の画像及び／またはカーソルの表示位置を変更して画面上の任意の座標を指示することによって、大きな設置面積等を必要とせず、安定に装置を保持した状態で容易に座標の入力を行うことができる。
【００２２】
これによって、従来の装置では、例えばハンドヘルド型のパーソナルコンピュータで座標の入力を行う場合に、大きな設置面積等が必要であったり、特に片手で装置を保持して入力する場合の操作性や安全性にも問題があったものを、本発明によればこれらの問題点を容易に解消することができるものである。
【００２３】
なお上述の装置においては、さらに上述の表示手段の画面と垂直なＺ軸方向の変位を検出するＺ軸変位の検出手段３ｚが設けられ、この検出手段３ｚからの検出信号も上述の計算手段１に供給されるようになされている。そこで例えば図５に示すように、使用者が両手で保持した装置１００を、自分の顔（目）に対して近づけたり遠ざけたりすることによって、Ｚ軸変位の検出手段３ｚからの検出信号が計算手段１に供給される。
【００２４】
そしてこのＺ軸方向の変位の検出信号に対しては、例えば装置１００が近づけられたときに表示手段２に表示されている計算結果の画像を拡大し、遠ざけられたときに計算結果の画像を縮小する処理を行う。これによって使用者は、例えば上述のＸ軸及びＹ軸方向の変位によって画像の所望の部分を画面の中央に位置させ、その状態で装置１００を近づけたり遠ざけたりすることによって、所望の部分を拡大、あるいはその周辺部分を視野を広げて見ることができる。
【００２５】
あるいは、いわゆるマルチウィンドウの表示が行われている場合には、このＺ軸方向の変位の検出信号によって、ウィンドウの前後の表示位置を入れ替えることもできる。これによって使用者は、装置１００を遠近に操作することで、所望の画面を表面に引き出したり、不要な画面を裏面に下げるなどの操作を行うことができる。
【００２６】
また上述の装置においては、例えば上述の処理を組み合わせることによって、より大きな範囲の座標の入力を円滑に行うことができる。すなわち例えば図３の処理において、計算結果の画像の表示位置を検出された変位に対して逆方向に２倍変位させると共に、カーソルの表示位置を検出された変位と同方向に移動させる。これによって同じ変位で入力される座標の範囲を４倍にすることができる。
【００２７】
さらに上述の装置において、操作釦４〜６は例えばいわゆるマウスのクリック釦と同様に用いられる。その際には、例えば表示手段２の左側縁部に設けられた操作釦４が操作されている期間のみ変位検出手段３を有効とし、表示手段２の右側縁部に設けられた操作釦５の操作で決定、操作釦６の操作で解除の入力を行うことによって座標の入力等を円滑に行うことができる。
【００２８】
なお、これらの操作釦４、５、６・・・の操作の内容や、上述の変位検出手段３の検出信号に対する各種の処理の内容は、例えばメニュー画面やアイコン等での選択によって任意に設定することができるものである。
【００２９】
また上述の装置において、例えばカーソルが画面の端に至った場合にはこのカーソルを画面の中央にリセットする手段を設ける。あるいは所望の画像がＸ軸及びＹ軸方向の変位の端の方に合った場合に、その位置を中央にリセットする手段を設ける。これによって、上述の装置を使用しての座標の入力等をさらに円滑に行うことができる。
【００３０】
さらに上述の装置において、変位検出手段３に設けられる例えばＸ軸変位の検出手段３ｘ、Ｙ軸変位の検出手段３ｙ、Ｚ軸変位の検出手段３ｚは、それぞれを加速度センサーによって形成すると共に、それらの加速度の検出信号を積分することによって変位の検出を行うことができるものである。この場合に、これらの積分の計算は計算手段１で行うこともできる。
【００３１】
また上述の装置においては、例えばキーボード装置やマウス等の外部入力手段からの信号を入力する接続手段を設けることもできる。これによって装置の利便性をさらに高めることができるものである。
【００３２】
こうして上述の座標入力装置によれば、計算手段と、計算手段の計算結果の画像を表示する表示手段とが一体に形成され、一体に形成された装置と共に表示手段の画面と平行な平面上でのＸ軸方向及びＹ軸方向の変位を検出するＸ軸変位検出手段及びＹ軸変位検出手段が設けられてなり、Ｘ軸変位検出手段及びＹ軸変位検出手段からの検出信号を計算手段に供給し、表示手段に表示される計算結果の画像及び／またはカーソルの表示位置を変更して画面上の任意の座標を指示することにより、大きな設置面積等を必要とせず、安定に装置を保持した状態で容易に座標の入力を行うことができるものである。
【符号の説明】
【００３３】
１…計算手段、２…表示手段、３…変位検出手段、３ｘ…Ｘ軸変位検出手段、３ｙ…Ｙ軸変位検出手段、３ｚ…Ｚ軸変位検出手段、４，５，６…操作釦
【図１】
2010015603.tif 000003
【図２】
2010015603.tif 000004
【図３】
2010015603.tif 000005
【図４】
2010015603.tif 000006
【図５】
2010015603.tif 000007